(57)【要約】【課題】  従来の洗濯機は、洗剤を含む大量の水の中に被洗濯物を投入し、水流を撹拌し、被洗濯物を洗剤を含む流水と接触させることにより、被洗濯物の汚れを落とすもので、特に小物の場合は、全体の被洗濯物に巻き込まれ、十分な洗濯効率が得られなかった。また、小物洗濯物を袋状補助袋に入れ、洗濯することも行われていたが、袋状補助袋に突起物を付けたものはなかった。【解決手段】  本発明は、支持材料として軟質シリコーン樹脂（シリコーンラバーを含む）を用い、その表面および内面に、洗濯物を傷めないような突起物を付けた袋状洗濯補助具を用い、その中に被洗濯物の小物洗濯物を入れ、これを洗濯機の内部に浮遊または固定して洗濯物全体と分割し、効率よく汚れを落として洗濯効率を高め、目的を達成した。【選択図】図１
2014184323.tif 000002
【特許請求の範囲】
【請求項１】
軟質シリコーン樹脂を支持材料とし、その表面および内面に突起物を付けた小物用洗濯補助袋の中に洗濯用小物を入れ、その洗濯効率を高めることを目的とする洗濯補助袋。
【発明の詳細な説明】
【技術分野】
【０００１】  本発明は、小物用洗濯物の洗濯効率を高めるため、袋の表面と内面に、先端が丸みを帯びた円錐形の突起物をつけた小物用の袋を付属させた、洗濯機の補助用具である。
【背景技術】
【０００２】  従来の洗濯機は、初期の撹拌式洗濯機にしろ、最近の噴流式洗濯機にしろ、洗濯機とは、洗濯容器の中で、汚れた洗濯物と洗剤を含む多量の水を、一定の機械力により両者を接触させ、汚れを水中に分散させるものである。
このように、洗濯機を使って洗濯する場合、ヒモ付きの衣類、ベビー用衣類などの小物類を、全体の洗濯物と一緒に洗濯機に入れて洗濯をすると、ヒモなどが他の大量の洗濯物に紛れ込んだり、また、小物が洗濯物全体とねじれ現象を起こしてしまい、小物の洗濯効率が低下してしまう。このような場合、小物類を別個に小さい袋に入れ、洗濯することが行われていた。しかしながら、従来使われている洗濯用袋は、細かい線糸、ポリプロピレン糸、ナイロン糸、テトロン糸などを網状に編んだ洗濯用袋があるが、これらは耐久性がなく、破れたり、袋の中で一か所に固まってしまうこともあり、洗濯効率が低下することが多かった。またこのような場合、小物を一定の袋状の専用袋に入れ、独立的に混入浮遊させたり、または洗濯機に固定させたりするようなものはあった。ただし、このような小物用専用袋の表面および内面に突起物をつけたものはなかった。
【発明の解決しようとする課題】
【０００３】本発明は、洗濯機の洗浄効率を高めるため、袋状ネット付属品を大量の水に接する表面、および、その表面と内面に突起物をつけた袋状の、小物だけを入れる選択補助具を用い、小物および全体の洗濯効率を上げることを目的とした。
すなわち、図２（イ）と（ロ）に明示したように、本発明は、補助袋の表面と内面に、それぞれ形態の違った突起物Ａを付けたものである。すなわち、表面には一つの長さａが７〜１０ｍｍ、底辺の直径ｂが２〜３ｍｍで先端が丸みを帯びた円錐形の突起物Ａをつけ、袋の内面には一つの高さｃが３〜４ｍｍ、底辺の直径の長さがｄが２〜３ｍｍの円形で、先端がなだらかなカーブをもつ突起物Ｂが付いた洗濯補助袋で、表面の突起物は水流によって前後左右に揺れ、内面の突起物は袋の中で洗濯物と接触しながら、汚れを落とす効率を高めることができる。
本発明の基本的な洗濯補助袋の大きさは、袋全体にたるみのある長方形とし、平面的にすると、縦３０〜３５ｃｍ、横２５ｃ〜３０ｃｍぐらいのものを適当とするが、このサイズに限定されるものではない。
また長方形だけではなく、全体で丸みを帯びた形状もある。
また補助袋の底がたるみをもった継ぎ目のない袋で、底から反対方向に洗濯物を出し入れするところの出入口の先端から１０〜２０ｍｍの間のところにジッパーを付ける。洗濯補助袋の材質は、いろいろな材質が考えられるが、ポリオレフィン（例えばポリプロピレン糸）、ナイロン糸、テトロン糸またはこれらの混紡ネットなどが使われるが、これらのネットは使い込むと破れたり、洗濯物に紛れ込んだり、またはねじれの現象を起こし、洗濯物とからんだままで洗濯効率を落としてしまう欠点があった。そこで、水ばかりではなく、温水を使う場合でも、耐熱性をもち、強度的に柔軟性をもつ、軟質シリコーン樹脂が、材質の中でベストな材質と考えられる。この場合、一般的にいわれるシリコーンラバーも含まれる。このような軟質シリコーン樹脂で作った洗濯用補助袋は、洗濯物に紛れ込むこともない。この場合の軟質シリコーン樹脂の洗濯用補助袋の厚みは、１〜３ｍｍで、淡い黄色、淡い緑色などの色をつけることが可能である。
またこの場合、洗濯物の分量にもよるが、一般的に小物類の汚れを落とすための洗濯時間は３５〜５５分かかるが、軟質シリコーン樹脂を使った選択補助袋を使うことにより、ねじれ現象などの支障がなく、洗濯時間は５〜１０分前後短縮され、節電、節水ができる。
つまり、洗濯機の中に、一般用の洗濯物と洗濯補助袋に入れた小物用洗濯物とを一緒に洗濯することにより、どの方式の洗濯機においても、洗濯用補助袋の表面にある突起物が、水流によって、前後左右に揺れ、また内面にある突起物は補助袋の中で洗濯物と接触することにより、洗濯物の汚れを効率よく落とす。従来のような、ただ洗濯物を袋状のネットに入れて洗濯するだけでは、ネットに汚れを落とす効果が低かったのに対し、２種類の突起物を付けた洗濯用補助袋を使って洗濯することで、洗濯物の汚れを落とす効率を高める点を解決しようとするものである。
【課題を解決するための手段】
【０００４】  本発明は、洗濯補助袋の表面と内面に、それぞれの突起物を２種類を付けたことを特徴とする。洗濯補助袋の表面には、先端が丸みを帯びた円錐形の突起物を、表面の反対側、つまり裏側になる内面には、先端がなだらかなカーブをした突起物を付けてある。
また、この際の突起物の数は、補助袋の大きさにもよるが、支持材料の１０〜２０ｍｍ間隔の交点に大体１個が配置されるようになっている。またこれらの支持材料および突起物以外の空間は、洗剤を含む水流が出入りする空間となる。
【発明の効果】
【０００５】  洗濯補助袋の表面に、先端が丸みを帯びた円錐形の突起物、内面には先端がなだらかなカーブをもつ円形の突起物を付けることにより、洗濯機の中に入れた洗濯物の汚れは、補助袋にある複数の穴から洗剤を含む水を取り込み、表面突起物は前後左右に揺れ、また内面突起物は、補助袋の中で洗濯物と接触することにより、突起物のない洗濯袋に比べ、補助袋自体に柔軟性があるので、洗濯機に直接入れた洗濯物とねじれ現象を起こすことなく、また全体の洗濯物の中に紛れ込むこともなく、汚れを落とすことができる。すなわち、これらの２種類の突起物が付いている洗濯補助袋を使用することにより、洗濯物の汚れを効率よく落とすことができる。また洗濯用補助袋に色を付けることにより、洗濯途中に補助袋の中のものを取り出したり、追加することが容易にできるという使い方もできる。
また補助袋は、軟質シリコーン樹脂（シリコーンゴムを含む）で作られ、柔軟性があるので、洗濯機に直接入れた洗濯物とねじれ現象や、洗濯物が１カ所に固まってしまうこともなく、効率よく汚れを落とすことができる。
【図面の簡単な説明】
【０００６】
【図１】洗濯用補助袋の平面概念図
【図２】補助袋の突起物の形状を示すもので（イ）は表面の突起物を表わす略示図で、（ロ）は内面の突起物を表わす略示図
【図３】補助袋の突起物の融着位置を示すもので（ハ）は表面の突起物を表わす略示図で、（ニ）は内面の突起物を表わす略示図
【図４】補助袋の横面概念図
【発明を実施するための形態】
【０００７】  洗濯用補助袋の基本的な大きさは、底にたるみをもたせたほぼ長方形の２５ｃｍ〜３０ｃｍ×３０ｃｍ〜４０ｃｍの大きさを基準とし、好ましくは２５×３５ｃｍぐらいであるが、このほかにもいろいろなサイズが考えられ、またそれに準ずる丸形も考えられる。洗濯補助袋の材質は、ポリオレフィン（ポリプロピレン）やポリアミド（ナイロン）またはポリエステル（テトロン）なども用いられるが、柔軟性がありシリコーンラバーともいわれる軟質シリコン樹脂がもっとも実用的である。また補助袋の作り方は、まず、０．５×３ｍｍの糸状物を作り、これに必要な表面および内面の突起物を加熱接合させたのち、全体を袋状のネットとし、洗濯用補助袋とすることができる。
このようにして作製された補助袋を平面とみた場合の概念図を図１に示す。すなわち、一般的にはシリコーンラバーといわれることもある軟質シリコーン樹脂を基本支持材料とし、その支持材料と支持材料を絡み合わせたネット（網状物体）の交点に、本発明における突起物を加熱融着させる。この際に用いられる突起物は、補助袋の表面には、図２（イ）および（ロ）に示すような、一つの高さａが７〜１０ｍｍ、底辺の直径ｂが２〜３ｍｍのほぼ円形で、先端が丸みを帯びた円錐形の突起物Ａを、また補助袋の内面には一つの高さｃが３〜４ｍｍ、底辺の直径ｄが２〜３ｍｍの同じ円形で、先端がなだらかなカーブをもつ突起物Ｂを付ける。またこの際に、突起物Ａ、Ｂを融着させる位置は、補助袋の大きさにもよるが、大体一辺が１０〜３０ｍｍの正方形に１〜２個が必要である。
またこのような糸状ネットの表面および内面に、突起物を一個ずつ加熱融着させるのではなく、一体成型融着法により、糸状ネットに代替する金型一体成型物を造ることもできる。すなわち、図１のような補助袋の平面概念図によるわく状支持材料の交点に、図２に示すような突起物ＡおよびＢを、１〜５ｍｍ厚さの一枚の軟質シリコーン樹脂から加熱融着させた状態で作製することができる。この場合、交点に従属させる突起物は、図３（ハ）に示すように、直接交点の上下に付ける必要はなく、図３（ニ）に示すように、その位置がずれても差し支えない。その上で、この基本材料板を袋状に接合または加熱融着させれば、目的の洗濯補助袋とすることができる。
以下、実施例により、具体的成果について述べる。
【実施例１】
【０００８】  内容６５Ｌの全自動式縦型洗濯機の内部に、別途、ひも状の軟質シリコーン樹脂を２０ｍｍごとに交差するように編み上げ、それぞれの交点に、表面には高さ約５ｍｍの突起物、また内面には高さ約３ｍｍの突起物を加熱融着したものを袋状にして作製した大きさ、縦３５０ｍｍ、横２８０ｍｍの袋状洗濯補助袋を、洗濯機の上部より１０ｃｍぐらいのところに、固定化するか、または洗濯物中に浮遊させて用いる。この洗濯機の中に、洗濯物５ｋｇおよび補助袋の中に小物洗濯物５００ｇを入れる。さらに洗濯物に対し必要な水６５Ｌと洗剤５０ｇを入れ、洗濯機のスイッチをいれる。そして、一定時間ごとの全体および補助袋の中の洗濯物の汚れの落ち方を測定する。
なお、実験の方法は、
１  全体を一まとめにした場合の洗濯物の汚れ落ち方；
２  小物を突起物のない、単なる袋状のネットに分割して入れ、全体の洗濯物と一緒に洗濯した場合の洗濯物の汚れの落ち方；
３  小物を補助袋に分割していれ、全体の洗濯物と一緒に洗濯した場合の洗濯物の汚れの落ち方；
４  小物を補助袋に分割していれ、補助袋を固定化した場合の洗濯物の汚れの落ち方を測定した。
また洗濯物の汚れの落ち方を、次のような記号で評価した。
◎：完全に汚れが落ちた
○：汚れは落ちたが、完全ではない（部分的に汚れが残った状態）。
△：汚れた部分が、全体的に残った。
×：汚れが、落ちていなかった。
実施例１の結果を、表１に示す。
【表１】
2014184323.tif 000003
以上の結果より、突起物をつけた洗濯補助袋を用いた方が、小物の洗濯効率を高めることが確かめられた。
【実施例２】
【０００９】実施例１に準ずる５５Ｌの全自動式縦型洗濯機を用い、別途、金型を用い厚さ３ｍｍの板状軟質シリコーン樹脂から一段階で表面および内面に実施例１に準ずる突起物を付け、それを袋状に作製した縦３５０ｍｍ、横２５０ｍｍの小物用洗濯補助袋を作製した。そして、実施例１に準じた方法により、洗濯物５ｋｇおよび小物洗濯物５００ｇ、洗剤５０ｇを入れ、洗濯を行う。そして、実施例１に準じた方法により、この小物用補助袋を洗濯機中に固定した場合、およそ洗濯物の中に浮遊させた場合について、小物用補助袋の効果を、測定した。
実施例２の結果を、表２に示す。
【表２】
2014184323.tif 000004
以上の結果より、突起物をつけた洗濯補助袋を用いた方が、小物の洗濯効率を高めることが確かめられた。
【実施例３】
【００１０】  内容６５Ｌのドラム式の洗濯乾燥機の中に、全洗濯物７ｋｇのほかに、金型を用いて別途作製した表面および内面に、実施例１に準じた突起物を付けた大きさ、縦３００ｍｍ、横２５０ｍｍの洗濯用補助袋の中に、小物洗濯物５００ｇを入れ、水６５Ｌ、洗剤５０ｇを加え、この小物用補助袋を洗濯物全体の中に浮遊させ、洗濯を行った。そして、実施例１に準じた方法により、汚れの落ち方をチェックした。
実施例３の結果を、表３に示す。
【表３】
2014184323.tif 000005
以上の結果より、突起物をつけた洗濯補助袋を用いた方が、小物の洗濯効率を高めることが確かめられた。
【産業上の利用可能性】
【００１１】  本発明は、洗濯時において、袋の表面に、先端が丸みを帯びた円錐形の突起物、また内面に先端が丸みを帯び、なだらかなカーブをもった突起物をもった洗濯補助袋を用いることにより、小物用洗濯物の汚れの落ち方を効率化するもので、洗濯機の効率的有効利用に科するところ大であると考えられる。
【符号の説明】
【００１２】１．支持材料
２．表面および内面突起物の支持材料への融着位置
３．洗浄水の出入り口
４．袋の出入り口の結合部
Ａ．表面用突起物
Ｂ．内面用突起物
ａ．表面用突起物Ａの高さ
ｂ．表面用突起物Ａ底辺の直径の長さ
ｃ．内面用突起物Ｂの高さ
ｄ．内面用突起物Ｂの底辺の直径の長さ
【図１】
2014184323.tif 000006
【図２】
2014184323.tif 000007
【図３】
2014184323.tif 000008
【図４】
2014184323.tif 000009